(57)【要約】【課題】被照明領域における照度の低下や照度の均一性の劣化を抑制することができ、もって高い表示画質が得られる光源装置及びこれを備えたプロジェクタを提供する。【解決手段】光源ランプ筐体１１２に位置決めして保持され被照明領域側に開口する楕円面リフレクタ１１４と、この楕円面リフレクタ１１４内に配設され照明光を放出する発光管１１６とを備えた光源装置１１０であって、光源ランプ筐体１１２は、楕円面リフレクタ１１４の内面に当接する位置決め用の凸部１１３を有し、楕円面リフレクタ１１４は、凸部１１３に圧接して被照明領域側に付勢されていることを特徴とする光源装置。【選択図】  図２
2004362971.tif 000002
【特許請求の範囲】
【請求項１】
光源ランプ筐体に位置決めして保持され、被照明領域側に開口する楕円面リフレクタと、
この楕円面リフレクタ内に配設され、照明光を放出する発光管とを備えた光源装置であって、
前記光源ランプ筐体は、前記楕円面リフレクタの内面に当接する位置決め用の凸部を有し、
前記楕円面リフレクタは、前記凸部に圧接して被照明領域側に付勢されていることを特徴とする光源装置。
【請求項２】
請求項１に記載の光源装置において、前記凸部が、前記楕円面リフレクタの反射面に連続する曲面からなる非反射面に当接する凸部であることを特徴とする光源装置。
【請求項３】
請求項１に記載の光源装置において、前記凸部が、前記楕円面リフレクタの反射面に不連続な扁平面からなる非反射面に当接する凸部であることを特徴とする光源装置。
【請求項４】
請求項１〜３のいずれかに記載の光源装置において、前記凸部が、前記楕円面リフレクタの内面に面接触によって当接する凸部であることを特徴とする光源装置。
【請求項５】
請求項１〜３のいずれかに記載の光源装置において、前記凸部が、前記楕円面リフレクタの内面に点接触によって当接する凸部であることを特徴とする光源装置。
【請求項６】
請求項１〜５のいずれかに記載の光源装置において、前記凸部が、２個又は４個の凸部からなることを特徴とする光源装置。
【請求項７】
照明光を射出する照明光学系と、
この照明光学系から射出された照明光を複数の色光に分離する色分離光学系と、
この色分離光学系によって分離された各色光をそれぞれ変調して画像を形成する複数の電気光学変調装置と、
これら複数の電気光学変調装置から射出された変調光を合成する色合成光学系と、
この色合成光学系によって合成された画像を投写面上に投写表示する投写光学系とを備えたプロジェクタにおいて、
前記照明光学系は、請求項１〜６のいずれかに記載の光源装置を有する照明光学系であることを特徴とするプロジェクタ。
【発明の詳細な説明】
【０００１】
【発明の属する技術分野】
本発明は、光源装置及びこれを備えたプロジェクタに関する。
【０００２】
【従来の技術】
プロジェクタでは、照明光学系から射出された照明光を、液晶表示装置などの電気光学変調装置を用いて画像情報に応じて変調し、変調された照明光をスクリーンなどの投写面上に投写することにより画像表示を実現している。
このようなプロジェクタにおいては、照明光学系を構成する各光学部品の位置精度が悪いと、被照明領域における照度や照度の均一性に悪影響を及ぼすことから、照明光学系を構成する光学部品、特に光源装置には高い位置精度が要求されている。
このため、従来の光源装置には、リフレクタの位置決め部をランプハウジングの基準面に押し付けることにより、リフレクタの位置精度を高めるようにしたものが知られている（例えば特許文献１）。
【０００３】
【特許文献１】
特表２０００−５１５３１１号公報（図２）
【０００４】
【発明が解決しようとする課題】
しかるに、上記した光源装置においては、リフレクタの外面を光源ランプ筐体に押し付けるものであるため、リフレクタの光軸方向の位置精度を大幅に高めることができなかった。このことは、リフレクタが楕円面鏡からなる場合に、この楕円面リフレクタ内外に位置する２つの焦点のうち外側の焦点が楕円面リフレクタの僅かな位置ずれによって光軸方向に大きくずれてしまうことから顕著である。この結果、被照明領域において照度が低下したり照度の均一性が劣化したりしてしまい、表示画質が低下するという問題があった。
【０００５】
本発明は、このような問題を解決するためになされたもので、被照明領域における照度の低下や照度の均一性の劣化を抑制することができ、もって高い表示画質が得られる光源装置及びこれを備えたプロジェクタを提供することを目的とする。
【０００６】
【課題を解決するための手段】
（１）本発明に係る光源装置は、光源ランプ筐体に位置決めして保持され、被照明領域側に開口する楕円面リフレクタと、この楕円面リフレクタ内に配設され、照明光を放出する発光管とを備えた光源装置であって、前記光源ランプ筐体は、前記楕円面リフレクタの内面に当接する位置決め用の凸部を有し、前記楕円面リフレクタは、前記凸部に圧接して被照明領域側に付勢されていることを特徴とする。
【０００７】
このため、本発明の光源装置によれば、光源ランプ筐体に対する楕円面リフレクタの位置決め保持状態において、加工精度の高い楕円面リフレクタの内面が光源ランプ筐体における位置決め用の凸部に押し付けられる。この場合、楕円面リフレクタ内外に位置する２つの焦点のうち外側の焦点における光軸方向のずれの発生が確実に抑制されるため、楕円面リフレクタの光軸方向の位置精度が大幅に高められる。
したがって、被照明領域の照度の低下や照度の均一性の劣化を抑制することができ、高い表示画質が得られる。
【０００８】
（２）上記（１）に記載の光源装置においては、前記凸部が、前記楕円面リフレクタの反射面に連続する曲面からなる非反射面に当接する凸部であることが好ましい。
このように構成することにより、極めて加工精度の高い楕円面が光源ランプ筐体の位置決め用の凸部に押し付けられるため、楕円面リフレクタの光軸方向の位置精度が極めて高いものとなる。
【０００９】
（３）上記（１）に記載の光源装置においては、前記凸部が、前記楕円面リフレクタの反射面に不連続な扁平面からなる非反射面に当接する凸部であることが好ましい。
楕円面リフレクタの反射面に不連続な扁平面からなる反射面も、通常楕円面と同一工程で同一型から形成されるため、極めて高い加工精度を有している。このため、このように構成することにより、極めて加工精度の高い扁平面が位置決め用の凸部に押し付けられるため、楕円面リフレクタの光軸方向の位置精度が極めて高いものとなる。
また、この場合には、位置決め用の凸面の表面形状を扁平面とすることができるため、位置決め用の凸面の加工が容易になるという効果もある。
【００１０】
（４）上記（１）〜（３）のいずれかに記載の光源装置においては、前記凸部が、前記楕円面リフレクタの内面に面接触によって当接する凸部であることが好ましい。
このように構成することにより、楕円面リフレクタの内面が光源ランプ筐体における位置決め用の凸部に面接触によって押し付けられるため、高い安定性が得られる。
【００１１】
（５）上記（１）〜（３）のいずれかに記載の光源装置においては、前記凸部が、前記楕円面リフレクタの内面に点接触によって当接する凸部であることが好ましい。
このように構成することにより、楕円面リフレクタの内面が光源ランプ筐体における位置決め用の凸部に点接触によって押し付けられるため、光軸方向の位置精度が極めて高いものとなる。
【００１２】
（６）上記（１）〜（５）のいずれかに記載の光源装置においては、前記凸部が、２個又は４個の凸部からなることが好ましい。
このように構成することにより、楕円面リフレクタの内面が２個又は４個の位置決め用の凸部に押し付けられる。この場合、位置決め用の凸部を照明光の光路外に配置する設計が容易になる。
【００１３】
（７）本発明に係るプロジェクタは、照明光を射出する照明光学系と、この照明光学系から射出された照明光を複数の色光に分離する色分離光学系と、この色分離光学系によって分離された各色光をそれぞれ変調して画像を形成する複数の電気光学変調装置と、これら複数の電気光学変調装置から射出された変調光を合成する色合成光学系と、この色合成光学系によって合成された画像を投写面上に投写表示する投写光学系とを備えたプロジェクタにおいて、前記照明光学系は、上記（１）〜（６）のいずれかに記載の光源装置を有する照明光学系であることを特徴とする。
【００１４】
このため、本発明に係るプロジェクタは、楕円面リフレクタの光軸方向の位置精度が大幅に高められた光源装置を有する照明光学系を備えたプロジェクタであるため、被照明領域の照度の低下や照度の均一性の劣化を抑制することができ、表示画質の低下を抑制することができるプロジェクタとなる。
【００１５】
【発明の実施の形態】
以下、本発明が適用された光源装置及びこれを備えたプロジェクタについて、図に示す実施の形態に基づいて説明する。
先ず、本発明の実施形態１について、図１〜図６を用いて説明する。
【００１６】
［実施形態１］
図１は、本発明の実施形態１に係る光源装置を備えたプロジェクタの光学系を示す平面図である。図１に示されるように、符号１で示すプロジェクタは、照明光学系１００と、色分離光学系２００と、リレー光学系３００と、３つの液晶表示装置４００Ｒ，４００Ｇ，４００Ｂと、クロスダイクロイックプリズム５００と、投写光学系６００とを備えている。各光学系の構成要素は、クロスダイクロイックプリズム５００を中心に略水平方向に配置されている。
【００１７】
照明光学系１００は、光源装置１１０と、平行化レンズ１１８と、第１のレンズアレイ１２０と、第２のレンズアレイ１３０と、偏光変換素子１４０と、重畳レンズ１５０とを有している。光源装置１１０から射出された光束は第１のレンズアレイ１２０によって複数の微小な部分光束に分割され、各部分光束は第２のレンズアレイ１３０及び重畳レンズ１５０によって照明対象である３つの液晶表示装置４００Ｒ，４００Ｇ，４００Ｂの光入射面上で重畳される。
【００１８】
光源装置１１０は、光源ランプ筐体１１２、楕円面リフレクタ１１４及び発光管１１６から大略構成されている（図２参照。）。
平行化レンズ１１８は、凹レンズからなり、光源装置１１０の被照明領域側に配設され、楕円面リフレクタ１１４からの照明光を平行化するように構成されている。
第１のレンズアレイ１２０及び第２のレンズアレイ１３０は、小レンズをマトリクス状に配列して形成されている。
偏光変換素子１４０は、非偏光な光を３つの液晶表示装置４００Ｒ，４００Ｇ，４００Ｂで利用可能な偏光方向を有する偏光光に揃える機能を有している。
【００１９】
色分離光学系２００は、照明光学系１００から射出された照明光を、それぞれ異なる波長域の３色の照明光に分離する機能を有している。第１のダイクロイックミラー２１０は、略赤色の光（以下「Ｒ光」という。）を透過させるとともに、略緑色の光（以下「Ｇ光」という。）及び略青色の光（以下「Ｂ光」という。）を反射する。第１のダイクロイックミラー２１０を透過したＲ光は、反射ミラー２３０で反射され、フィールドレンズ２４０Ｒを透過してＲ用の液晶表示装置４００Ｒを照明する。
【００２０】
フィールドレンズ２４０Ｒは、照明光学系１００からの複数の部分光束がそれぞれ液晶表示装置４００Ｒを照明するように集光する。通常、各部分光束が、それぞれ略平行な光束となるように設定されている。他の液晶表示装置４００Ｇ，４００Ｂの前に配設されたフィールドレンズ２４０Ｇ，３５０も、フィールドレンズ２４０Ｒと同様に構成されている。
【００２１】
第１のダイクロイックミラー２１０で反射されたＧ光とＢ光のうちＧ光は、第２のダイクロイックミラー２２０によってさらに反射され、フィールドレンズ２４０Ｇを透過してＧ用の液晶表示装置４００Ｇを照明する。一方、Ｂ光は、第２のダイクロイックミラー２２０を透過し、リレー光学系３００を通過してＢ用の液晶表示装置４００Ｂを照明する。
【００２２】
リレー光学系３００は、入射側レンズ３１０，入射側反射ミラー３２０，リレーレンズ３３０，射出側反射ミラー３４０及びフィールドレンズ３５０を有している。色分離光学系２００から射出されたＢ光は、入射側レンズ３１０によってリレーレンズ３３０の近傍で収束し、フィールドレンズ３５０（射出側反射ミラー３４０）に向かって発散する。フィールドレンズ３５０に入射する光束の大きさは、入射側レンズ３１０に入射する光束の大きさに略等しくなるように設定されている。
【００２３】
各色用の液晶表示装置４００Ｒ，４００Ｇ，４００Ｂは、それぞれの光入射面に入射した色光を、それぞれに対応する色信号（画像信号）に応じた光に変換し、これら変換された光を透過光として射出する。これら液晶表示装置４００Ｒ，４００Ｇ，４００Ｂの入射側には入射側偏光板９１８Ｒ，９１８Ｇ，９１８Ｂが、また射出側には射出側偏光板９２０Ｒ，９２０Ｇ，９２０Ｂがそれぞれ配置されている。液晶表示装置４００Ｒ，４００Ｇ，４００Ｂとしては、透過型の液晶パネルが用いられる。
【００２４】
クロスダイクロイックプリズム５００は、各色用の液晶表示装置４００Ｒ，４００Ｇ，４００Ｂから射出される各色の変換光を合成する色合成光学系としての機能を有する。クロスダイクロイックプリズム５００において生成された合成光は、投写光学系６００に向かって射出される。
【００２５】
投写光学系６００は、複数の投写レンズ（図示せず）を有し、クロスダイクロイックプリズム５００からの合成光を表示画像としてスクリーン（図示せず）上に投写表示するように構成されている。
【００２６】
図２は、本発明の実施形態１に係る光源装置を示す断面図である。図３は、本発明の実施形態１に係る光源装置の要部を前方から見た説明図である。図３（ａ）はその分解斜視図であり、図３（ｂ）はその組立斜視図である。図４は、本発明の実施形態１に係る光源装置の要部を後方から見た説明図である。図４（ａ）はその分解斜視図であり、図４（ｂ）はその組立斜視図である。図５は、本発明の実施形態１に係る光源装置の要部を示す説明図である。図５（ａ）はその側面図であり、図５（ｂ）はその背面図である。図６は、本発明の実施形態１に係る光源装置の光源ランプ筐体を示す説明図である。図６（ａ）はその側面図であり、図６（ｂ）はその背面図である。以下、実施形態１に係る光源装置を詳しく説明する。
【００２７】
光源装置１１０は、図２に示されるように、光源ランプ筐体１１２、楕円面リフレクタ１１４及び発光管１１６から大略構成されている。
光源ランプ筐体１１２は、図２〜図６に示されるように、取付台１１２Ａ及び取付枠１１２Ｂを有し、光学部品収納用の筐体（図示せず）内に配設されている。取付台１１２Ａには、上下方向に開口するばね係止孔１１２Ａ１（図２に図示）が設けられている。取付枠１１２Ｂは、ばね係止用の突起１１２Ｂ１を上下・左右側部に有し、全体が略四角形状の枠体によって形成されている。取付枠１１２Ｂの前面部には、前後方向に開口する円形窓１１２ｂ１を有する前面板１１２ｂが一体に設けられている。
【００２８】
前面板１１２ｂには、円形窓１１２ｂ１の周方向に等間隔をもって並列し、かつ取付枠１１２Ｂ内（後方）に突出する４個の位置決め用の凸部１１３が一体に設けられている。そして、楕円面リフレクタ１１４の内面に当接するように構成されている。凸部１１３には、楕円面リフレクタ１１４の反射面に不連続な扁平面からなる非反射面（後述）に適合する扁平面１１３Ａが傾斜して形成されている。これにより、楕円面リフレクタ位置決め保持状態において、加工精度の高い楕円面リフレクタ１１４の内面に凸部１１３の扁平面１１３Ａが面接触して押し付けられる。
【００２９】
楕円面リフレクタ１１４には、前方（被照明領域側）に開口し、楕円面リフレクタ光軸ＯＣに対称な回転楕円体からなる楕円面鏡が用いられる。楕円面リフレクタ１１４内には、発光管１１６の照明光を反射する楕円面からなる反射面１１４Ａおよびこの反射面１１４Ａに不連続な扁平面からなる４つの非反射面１１４Ｂが形成されている。そして、楕円面リフレクタ１１４は、各非反射面１１４Ｂがそれぞれ凸部１１３に圧接して被照明領域側にスプリング１１９によって付勢されている。これにより、楕円面リフレクタ１１４が光源ランプ筐体１１２に対して確実に位置決め保持される。このため、楕円面リフレクタ内外に位置する２つの焦点Ｐ１，Ｐ２のうち外側の焦点Ｐ２における光軸方向のずれの発生が抑制され、楕円面リフレクタ１１４の光軸方向の位置精度が高められる。
【００３０】
スプリング１１９は、係止孔１１９Ａ及び係着部１１９Ｂを有する板ばねからなり、光源ランプ筐体１１２に取り付けられている。係止孔１１９Ａは突起１１２Ｂ１に係止され、係着部１１９Ｂは弾性変形してばね係止孔１１２Ａ１の開口周縁あるいは取付枠１１２Ｂの端縁に係着されている。
なお、スプリング１１９としては、その種類や形状等は特に限定されるものではない。
【００３１】
発光管１１６は、石英ガラス製のガラス管１１６Ａを有する高圧水銀ランプからなり、楕円面リフレクタ１１４内に発光中心部を焦点Ｐ１に一致させて配設されている。そして、照明光を放出するように構成されている。
なお、発光管１１６としては、キセノンランプやメタルハライドランプ等の他の発光管を用いてもよい。
【００３２】
以上の構成により、実施形態１に係る光源装置１１０及びこれを備えたプロジェクタ１においては、光源ランプ筐体１１２に対する楕円面リフレクタ１１４の位置決め保持状態において、加工精度の高い楕円面リフレクタ１１４の内面（非反射面１１４Ｂ）が光源ランプ筐体１１２における位置決め用の凸部１１３の扁平面１１３Ａに面接触して押し付けられる。これにより、楕円面鏡である楕円面リフレクタ１１４の内外に位置する２つの焦点Ｐ１，Ｐ２のうち外側の焦点Ｐ２における光軸方向のずれの発生が確実に抑制されるため、楕円面リフレクタ１１４の光軸方向の位置精度が大幅に高められる。
したがって、本実施形態においては、被照明領域の照度の低下や照度の均一性の劣化を抑制することができ、高い表示画質が得られる。
【００３３】
次に、本発明の実施形態２について、図７〜図１１を用いて説明する。
［実施形態２］
図７は、本発明の実施形態２に係る光源装置を示す断面図である。図８は、本発明の実施形態２に係る光源装置の要部を前方から見た説明図である。図８（ａ）はその分解斜視図であり、図８（ｂ）はその組立斜視図である。図９は、本発明の実施形態２に係る光源装置の要部を後方から見た説明図である。図９（ａ）はその分解斜視図であり、図９（ｂ）はその組立斜視図である。図１０は、本発明の実施形態２に係る光源装置の要部を示す説明図である。図１０（ａ）はその側面図であり、図１０（ｂ）はその背面図である。図１１は、本発明の実施形態２に係る光源装置の光源ランプ筐体を示す説明図である。図１１（ａ）はその側面図であり、図１１（ｂ）はその背面図である。図７〜図１１において、図２〜図６と同一の部材については同一の符号を付し、詳細な説明は省略する。
【００３４】
実施形態２に示す光源装置は、光源ランプ筐体における位置決め用の凸部が、楕円面リフレクタの反射面に連続する曲面からなる非反射面に当接する突部である点に特徴がある。
このため、実施形態１と同様に、光源ランプ筐体１１２の前面板１１２ｂには、円形窓１１２ｂ１の周方向に等間隔をもって並列し、かつ取付枠１１２Ｂ内（後方）に突出する４個の位置決め用の凸部１１３が一体に設けられている。そして、楕円面リフレクタ１１２の内面に当接するように構成されている。凸部１１３には、図７〜図１１に示すように、楕円面リフレクタ１１２の反射面（楕円面）に連続する曲面（楕円面）からなる非反射面（後述）に適合する楕円面１１３Ａ１が形成されている。これにより、楕円面リフレクタ位置決め保持状態において、加工精度の高い楕円面リフレクタ１１４の内面に凸部１１３の楕円面１１３Ａ１が面接触して押し付けられる。
【００３５】
楕円面リフレクタ１１４には、前方（被照明領域側）に開口し、楕円面リフレクタ光軸ＯＣに対称な回転楕円体からなる楕円面鏡が用いられる。楕円面リフレクタ１１４内には、発光管１１６の照明光を反射する楕円面からなる反射面１１４Ａ１及びこの反射面１１４Ａ１に連続する楕円面からなる４つの非反射面１１４Ｂ１が形成されている。そして、楕円面リフレクタ１１４は、各非反射面１１４Ｂ１がそれぞれ凸部１１３に圧接して被照明領域側にスプリング１１９によって付勢されている。これにより、楕円面リフレクタ１１４が光源ランプ筐体１１２に対して確実に位置決め保持される。このため、楕円面リフレクタ内外に位置する２つの焦点Ｐ１，Ｐ２のうち外側の焦点Ｐ２における光軸方向のずれの発生が抑制され、楕円面リフレクタ１１４の光軸方向の位置精度が高められる。
【００３６】
以上の構成により、実施形態２に係る光源装置１１０及びこれを備えたプロジェクタ１においては、光源ランプ筐体１１２に対する楕円面リフレクタ１１４の位置決め状態において、加工精度の高い楕円面リフレクタ１１４の内面（非反射面１１４Ｂ１）が光源ランプ筐体１１２における位置決め用の凸部１１３の楕円面１１３Ａ１に面接触して押し付けられる。これにより、楕円面鏡である楕円面リフレクタ１１４の内外に位置する２つの焦点Ｐ１，Ｐ２のうち外側の焦点Ｐ２における光軸方向のずれの発生が確実に抑制されるため、楕円面リフレクタ１１４の光軸方向の位置精度が大幅に高められる。
したがって、実施形態２においても、実施形態１と同様に、被照明領域の照度の低下や照度の均一性の劣化を抑制することができ、高い表示画質が得られる。
【００３７】
図１２は、光源装置の変形例１を示す説明図である。図１２（ａ）は正面図であり、図１２（ｂ）は断面図である。図１３は、光源装置の変形例２を示す説明図である。図１３（ａ）は正面図であり、図１３（ｂ）は断面図である。図１４は、光源装置の変形例３を示す説明図である。図１４（ａ）は正面図であり、図１４（ｂ）は断面図である。
上記した各実施形態においては、楕円面リフレクタ１１４の内面に面接触して当接する位置決め用の凸部１１３である場合について説明したが、本発明はこれに限定されず、位置決め用の凸部として、図１２及び図１３に示すように点接触して当接する凸部１１３ｂとしてもよい。また、図１４に示すように２個の位置決め用の凸部１１３ｂを楕円面リフレクタ１１４の内面に当接させ、光源ランプ筐体１１２に対して楕円面リフレクタ１１４を位置決め保持してもよい。
【００３８】
また、各実施形態においては、楕円面鏡からなるリフレクタ１１４を備えた光源装置１１０に適用する場合について説明したが、本発明はこれに限定されず、リフレクタとして放物面鏡又は球面鏡を備えた光源装置にも各実施形態と同様に適用可能である。
【図面の簡単な説明】
【図１】本発明の実施形態１に係るプロジェクタの光学系を示す平面図。
【図２】本発明の実施形態１に係る光源装置を示す断面図。
【図３】本発明の実施形態１に係る光源装置の要部を前方から見た説明図。
【図４】本発明の実施形態１に係る光源装置の要部を後方から見た説明図。
【図５】本発明の実施形態１に係る光源装置の要部を示す説明図。
【図６】本発明の実施形態１に係る光源装置の光源ランプ筐体を示す説明図。
【図７】本発明の実施形態２に係る光源装置を示す断面図。
【図８】本発明の実施形態２に係る光源装置の要部を前方から見た説明図。
【図９】本発明の実施形態２に係る光源装置の要部を後方から見た説明図。
【図１０】本発明の実施形態２に係る光源装置の要部を示す説明図。
【図１１】本発明の実施形態２に係る光源装置の光源ランプ筐体を示す説明図。
【図１２】光源装置の変形例１を示す説明図。
【図１３】光源装置の変形例２を示す説明図。
【図１４】光源装置の変形例３を示す説明図。
【符号の説明】
１  プロジェクタ、１００  照明光学系、１１０  光源装置、１１２  光源ランプ筐体、１１２Ａ  取付台、１１２Ａ１  ばね係止孔、１１２Ｂ  取付枠、１１２Ｂ１  ばね係止用の突起、１１２ｂ  前面板、１１２ｂ１  円形窓、１１３  位置決め用の凸部、１１３Ａ  扁平面、１１４  楕円面リフレクタ、１１４Ａ  反射面、１１４Ｂ  非反射面、１１６  発光管、１１６Ａ  ガラス管、１１８  平行化レンズ、１１９  スプリング，１１９Ａ  係止孔，１１９Ｂ  係着部、１２０  第１のレンズアレイ、１３０  第２のレンズアレイ、１４０  偏光変換素子、１５０  重畳レンズ、４００Ｒ  Ｒ用の液晶表示装置、４００Ｇ  Ｇ用の液晶表示装置、４００Ｂ  Ｂ用の液晶表示装置、５００  クロスダイクロイックプリズム、Ｐ１  内側の焦点、Ｐ２  外側の焦点、ＯＣ  楕円面リフレクタ光軸
【図１】
2004362971.tif 000003
【図２】
2004362971.tif 000004
【図３】
2004362971.tif 000005
【図４】
2004362971.tif 000006
【図５】
2004362971.tif 000007
【図６】
2004362971.tif 000008
【図７】
2004362971.tif 000009
【図８】
2004362971.tif 000010
【図９】
2004362971.tif 000011
【図１０】
2004362971.tif 000012
【図１１】
2004362971.tif 000013
【図１２】
2004362971.tif 000014
【図１３】
2004362971.tif 000015
【図１４】
2004362971.tif 000016